(57)【要約】【課題】意図しない筆記部の突出を防止している状態から簡単に筆記部の突出を行える筆記具を提供する。【解決手段】筆記具１のユーザーがストッパ部材６０の押込部分６３を、ばね５２の弾性力に抗するように軸筒２の径方向内方に向かって押しこむと、軸筒２の軸方向に関して、ストッパ部材６０の当接部６１ａが段差部４４よりも軸筒２の径方向内方に位置するようになる。また、ストッパ部材６０の第２部分６２は、軸筒２の軸方向に関して、連結部３１と重なるように位置すると共に第２孔４３内に位置するようになる。筆記具１のユーザーがストッパ部材６０を、ストッパ部材６０に接するクリップ３２とともに筆記具１の前側に移動させると、連結部３１及び第２部分６２が第２孔４３に沿って筆記具１の前側に移動するようになる【選択図】図８
2015036200.tif 000002
【特許請求の範囲】
【請求項１】
前端及び後端を有し、該前端に前端開口を有する軸筒と、
該軸筒内に収納されるリフィールと、
前記軸筒の軸方向にスライド可能に設けられた押圧部材と
を備え、該押圧部材が前記軸筒の軸方向にスライドして前記リフィールを押圧することで、前記リフィールの前端の筆記部が前記前端開口から突出する筆記具であって、
前記押圧部材は、前記軸筒の径方向に移動可能なストッパ部材を含み、
前記軸筒には、その軸方向に延びるようにスライド孔が設けられ、
前記スライド孔は、
第１孔と、
該第１孔よりも前記前端側で前記第１孔に隣接するように設けられると共に前記第１孔の幅よりも小さな幅を有する第２孔と
を備え、
前記ストッパ部材は、
前記第１孔に挿入可能であると共に前記第２孔の幅よりも大きな幅を有する第１部分と、
該第１部分に対して前記軸筒の径方向外方に設けられ、前記第１部分の幅よりも小さな幅を有して前記第２孔に挿入可能な第２部分と
を備え、
前記ストッパ部材を前記軸筒の径方向内側に押圧することにより、前記第１孔内に前記第２部分が位置した状態で前記押圧部材を前記前端側に向かってスライドさせると、前記第２部分が前記第２孔に沿ってスライドする筆記具。
【請求項２】
前記押圧部材は、前記ストッパ部材を前記軸筒の径方向外方に向かって押す弾性部材をさらに含み、
該弾性手段は、前記ストッパ部材を前記軸筒の径方向外方に向かって押すことにより、前記第１部分の少なくとも一部は前記第１孔内に位置する請求項１に記載の筆記具。
【請求項３】
前記押圧部材には、前記軸筒の外側に位置する外側部材が取り付けられており、前記ストッパ部材が、前記外側部材よりも前記後端側から前記外側部材に接する、請求項１または２に記載の筆記具。
【請求項４】
前記外側部材はクリップである、請求項３に記載の筆記具。
【発明の詳細な説明】
【技術分野】
【０００１】
この発明は、筆記具に係り、特に、リフィールの前端の筆記部を本体軸の前端開口から出没させるようにした出没式筆記具に関する。
【背景技術】
【０００２】
従来の出没式筆記具は、後端に設けられたノック部材を押圧または解除することにより、前端に形成された前端開口から筆記部を出没させるものである。このような操作で筆記部を容易に出没させることができることから、例えば、出没式筆記具をシャツのポケットに差していると、上体を屈む等の動作をしたときに、意図せずノック部材が押圧されて筆記部が前端開口から突出してしまい、筆記部がポケットの内側の布地に触れて衣服を汚してしまう場合があった。また、出没式筆記具をカバン等に入れていた場合も同様に、意図せずに筆記部が前端開口から突出してしまい、カバンの内側やカバンの内容物を汚してしまう場合があった。
【０００３】
このような意図しない筆記部の突出を防止する機構を備えた出没式筆記具が特許文献１に記載されている。この出没式筆記具において、ノック部材の外周に設けられた操作部材を一方方向に回転させて突起部を係合溝にスライド挿入することで、ノック部材の前方への移動が規制されるので、意図しない筆記部の突出を防止できる。この状態において係合溝から突起部を外すことで、ノック部材の前方への移動が可能となるので、筆記部の出没が可能となる。
【先行技術文献】
【特許文献】
【０００４】
【特許文献１】特開２０１０−１３１７７７号公報
【発明の概要】
【発明が解決しようとする課題】
【０００５】
しかしながら、特許文献１に記載の出没式筆記具では、ノック部材の前方への移動を規制するためには、操作部材を回転させる操作が必要であり、ノック部材の前方への移動が規制された状態から筆記部を突出させようとする場合には、係合溝から突起部を外す操作を行って当該規制を解除した後にノック部材を操作する必要があり、筆記部を突出する操作が煩雑になるといった問題点があった。
【０００６】
この発明はこのような問題点を解決するためになされたもので、意図しない筆記部の突出を防止している状態から簡単に筆記部の突出を行える筆記具を提供することを目的とする。
【課題を解決するための手段】
【０００７】
この発明に係る筆記具は、前端及び後端を有し、前端に前端開口を有する軸筒と、軸筒内に収納されるリフィールと、軸筒の軸方向にスライド可能に設けられた押圧部材とを備え、押圧部材が軸筒の軸方向にスライドしてリフィールを押圧することで、リフィールの前端の筆記部が前端開口から突出する筆記具であって、押圧部材は、軸筒の径方向に移動可能なストッパ部材を含み、軸筒には、その軸方向に延びるようにスライド孔が設けられ、スライド孔は、第１孔と、第１孔よりも前端側で第１孔に隣接するように設けられると共に第１孔の幅よりも小さな幅を有する第２孔とを備え、ストッパ部材は、第１孔に挿入可能であると共に第２孔の幅よりも大きな幅を有する第１部分と、第１部分に対して軸筒の径方向外方に設けられ、第１部分の幅よりも小さな幅を有して第２孔に挿入可能な第２部分とを備え、ストッパ部材を軸筒の径方向内側に押圧することにより、第１孔内に第２部分が位置した状態で押圧部材を前端側に向かってスライドさせると、第２部分が第２孔に沿ってスライドする。
押圧部材は、ストッパ部材を軸筒の径方向外方に向かって押す弾性部材をさらに含み、弾性手段は、ストッパ部材を軸筒の径方向外方に向かって押すことにより、第１部分の少なくとも一部は第１孔内に位置してもよい。
押圧部材には、軸筒の外側に位置する外側部材が取り付けられており、ストッパ部材が、外側部材よりも後端側から外側部材に接してもよい。外側部材はクリップであってもよい。
【発明の効果】
【０００８】
この発明によれば、ストッパ部材を軸筒の径方向内側に押圧することにより、第１孔内に第２部分が位置した状態で押圧部材を前端側に向かってスライドさせると、第２部分が第２孔に沿ってスライドして、リフィールが前端側に移動するようになるので、意図しない筆記部の突出を防止している状態から簡単に筆記部の突出を行うことができる。
【図面の簡単な説明】
【０００９】
【図１】この発明の実施の形態に係る筆記具の平面図である。
【図２】図１のＩＩ−ＩＩ線に沿った断面図である。
【図３】図１のＩＩＩ−ＩＩＩ線に沿った断面図である。
【図４】この実施の形態に係る筆記具の軸筒の後側の部分拡大平面図である。
【図５】図４のＶ−Ｖ線に沿った断面図である。
【図６】この実施の形態に係る筆記具のストッパ部材の平面図及び側面図である。
【図７】図３のＶＩＩ−ＶＩＩ線に沿った断面図である。
【図８】この実施の形態に係る筆記具のストッパ部材を軸筒の径方向内方に押した状態の断面図である。
【図９】この実施の形態に係る筆記具において、筆記部を前端開口から突出させた状態の後側の部分の断面図である。
【図１０】図８のＸ−Ｘ線に沿った断面図である。
【図１１】この実施の形態に係る筆記具の円筒体の正面図である。
【図１２】この実施の形態に係る筆記具の回転部材の正面図である。
【図１３】この実施の形態に係る筆記具の後軸の断面図である。
【発明を実施するための形態】
【００１０】
以下、この発明の実施の形態を添付図面に基づいて説明する。なお、説明にあたっては、筆記部２２側を「前」側とし、反対側（押圧部材３０側）を「後」側として説明する。
図１に示されるように、筆記具１は、前軸３と後軸４とからなる軸筒２を備えている。前軸３の前側には、前側に向かって徐々に外径が小さくなる前端部分５が一体的に形成されている。
【００１１】
図２に示されるように、前軸３の前端２ａには前端開口６が設けられている。前軸３の軸方向に関して中央よりもやや後側の位置には、前軸３の外表面から径方向外方に突出する円盤状の仕切板部７が設けられており、前軸３の前端部分５以外の部分は、仕切板部７によって前軸前方部３ａと前軸後方部３ｂとに区画されている。前軸前方部３ａの外周面は、ゴム等の弾力性のある材料から形成されたグリップ１１で覆われている。前軸後方部３ｂの外周面には、ねじ山８が形成されている。後軸４の内周面には、後軸４の前側の端部から後端２ｂに向かって、適当な長さのねじ溝１０が形成されている。前軸後方部３ｂを後軸４の前側の端部の開口から後軸４の内部に挿入し、ねじ山８とねじ溝１０とを螺合させることにより、前軸３と後軸４とが連結されて、軸筒２が構成される。
【００１２】
軸筒２の内部には、ボールペンのリフィール２０が収納されている。リフィール２０の前端には、筆記部２２が設けられている。リフィール２０は、前側から後側に向かって段階的に外径が大きくなるような形状を有しており、外径が変化する部分にはそれぞれ段差部が形成されている。それら段差部のうちの１つである段差部１３には、軸筒２内に収容されると共にリフィール２０が挿入されたばね１４の一端が当接している。ばね１４の他端は、前端部分５の内周面に形成された段差部１５に当接している。ばね１４は、その弾性力によって、リフィール２０を後側に押している。
【００１３】
図３に示されるように、軸筒２の内部には、リフィール２０よりも後側に、押圧部材３０が収納されている。押圧部材３０には、連結部３１を介して、軸筒２の外部で軸筒２の軸方向に延びる外側部材であるクリップ３２が一体的に形成されている。すなわち、連結部３１は、詳細な構成は後述するスライド孔４０を介して、軸筒２の内部から軸筒２の外部へ延びるように形成されている。クリップ３２には、後軸４に向かい合う面に、後軸４に向かって突出する玉部３２ａが設けられている。後軸４の外周面には、後軸４の軸方向に延びると共に後軸４の外周面に対して窪むように形成されたガイド溝４ａが設けられており、玉部３２ａの一部がガイド溝４ａ内に位置している。また、押圧部材３０は、軸筒２の内部で軸筒２の軸方向に延びると共に押圧部材３０に一体成形された挿入軸部３３を含んでいる。挿入軸部３３は、詳細な構成は後述する円筒体３４に後側から挿入され、円筒体３４には、詳細な構成は後述する回転部材３５の挿入筒部３７が前側から挿入され、円筒体３４の内部で、押圧部材３０の挿入軸部３３が回転部材３５の挿入筒部３７に後側から挿入されている。回転部材３５には、リフィール２０が前側から挿入されている。リフィール２０の後端には、リフィール２０の内部と外部とが通気可能な図示しない通気孔を備えた尾栓２９が取り付けられ、回転部材３５の内部で、尾栓２９が回転部材３５に当接している。このような構成により、押圧部材３０は間接的に、すなわち円筒体３４及び回転部材３５を介して、リフィール２０と連結されている。
【００１４】
後軸４の後側には、他の部分の外径よりも小さな外径を有する後端部分９が一体的に形成されている。後軸４の後端２ｂには後端開口１６が設けられ、後端開口１６を塞ぐように後端キャップ１２が後端部分９に被せられている。後端キャップ１２の外径は、後軸４の後端部分９以外の部分の外径と同じであり、後端キャップ１２を後端部分９に被せることにより、後軸４の前端から後端キャップ１２までの外径が一様になっている。
【００１５】
図４に示されるように、後軸４には、軸筒２の内部と連通する細長いスライド孔４０が設けられている。スライド孔４０は、後端キャップ１２の後端から後軸４の軸方向に延びている。スライド孔４０は、ガイド溝４ａと同一直線状になるように設けられており、スライド孔４０とガイド溝４ａとの間には、適当な間隔があいている。
【００１６】
図５に示されるように、スライド孔４０は、後端キャップ１２及び後軸４に形成された外表面孔４１と、外表面孔４１よりも大きな幅を有すると共に後端部分９に形成された第１孔４２と、第１孔４２よりも前側で第１孔４２に隣接するように設けられると共に外表面孔４１と同じ幅を有する第２孔４３とから構成されている。第１孔４２及び第２孔４３は、外表面孔４１よりも軸筒２の径方向内方に位置しており、第２孔４３と外表面孔４１とは一致するように位置しており、第１孔４２は外表面孔４１と連通するように位置している。第１孔４２と第２孔４３との境目には、両者の幅の違いから構成された段差部４４が形成されている。
【００１７】
再び図３を参照すると、押圧部材３０には、スライド孔４０に向かって開口するばね収容室５１が設けられている。ばね収容室５１内には、弾性手段であるばね５２が収容されており、ばね収容室５１内に一部分が挿入すると共にばね５２の弾性力によって軸筒２の径方向外方に向かって押されるストッパ部材６０が設けられている。ストッパ部材６０は、スライド孔４０を介して軸筒２の内部から外部へ向かって延びるように設けられ、連結部３１及びクリップ３２に対して後側からこれらに接している。
【００１８】
図６（ａ）に示されるように、ストッパ部材６０は、第１部分６１と、第２部分６２と、押込部分６３とを備えている。第１部分６１は、第２部分６２に対して垂直に延びると共に第２部分６２に接続された当接部６１ａと、一端が当接部６１ａに接続されて互いに間隔をあけて平行に延びる２つの側面部６１ｂ，６１ｂと、当接部６１ａ及び２つの側面部６１ｂ，６１ｂに接続するように設けられた薄板状部材６１ｃとを備えている。当接部６１ａと２つの側面部６１ｂ，６１ｂと薄板状部材６１ｃとにより、ばね５２（図３参照）を受け入れ可能な空間であるばね受け入れ室６４が構成されている。各側面部６１ｂの外表面間の距離である幅ｗ１は、第１孔４２の幅よりも小さいが第２孔４３の幅よりも大きい程度、すなわち第１孔４２（図４又は５参照）に第１部分６１が挿入可能であるが第２孔４３（図５参照）に第１部分６１が挿入できない程度の距離である。第２部分６２の幅ｗ２は、第２孔４３の幅と同等あるいはそれ以下、すなわち第２孔４３に第２部分６２が挿入可能な程度の距離である。押込部分６３は、第２部分６２に対して第１部分６１とは反対側に位置している。図６（ｂ）に示されるように、薄板状部材６１ｃが設けられている側の押込部分６３の面が、第２部分６２に対して第１部分６１とは反対側の方向、すなわち端側面６６に向かって、押込部分６３の厚さが薄くなるように傾斜して、傾斜面６５が形成されている。
【００１９】
図７に示されるように、ばね収容室５１内において、ばね５２がその弾性力によって当接部６１ａを押すことによって、ストッパ部材６０は、軸筒２の径方向外方に向かって押される。その結果、ストッパ部材６０の当接部６１ａの少なくとも一部は、ばね収容室５１の外部に位置するようになり、軸筒２の軸方向に見たときに段差部４４と重なるように位置することとなる。この状態でストッパ部材６０を筆記具１の前側（図７の紙面に対して表側から裏側）に向かって押そうとしても、当接部６１ａの当該少なくとも一部が段差部４４に当たってしまい、ストッパ部材６０をクリップ３２とともに筆記具１の前側に移動させることができない。すなわち、筆記具１のユーザーがストッパ部材６０に触れない状態では、押圧部材３０を筆記具１の前側に移動させることができない。その結果、押圧部材３０はリフィール２０（図２または３参照）を筆記具１の前側に押すことができないので、特別な操作を行うことなく、筆記部２２（図２参照）が意図せずに前端開口６（図２参照）から突出してしまうのを防止できる。
【００２０】
図８に示されるように、筆記具１のユーザーがストッパ部材６０の押込部分６３を、ばね５２の弾性力に抗するように軸筒２の径方向内方に向かって押しこむと、軸筒２の軸方向に関して、ストッパ部材６０の当接部６１ａが段差部４４よりも軸筒２の径方向内方に位置するようになる。すなわち、第１部分６１の全体が軸筒２内に収容されるようになる。また、ストッパ部材６０の第２部分６２は、軸筒２の軸方向に関して、連結部３１（図６（ａ），（ｂ）参照）と重なるように位置すると共に第２孔４３内に位置するようになる。筆記具１のユーザーがストッパ部材６０を筆記具１の前側に移動させると、ストッパ部材６０に接するクリップ３２及び連結部３１も筆記具１の前側に移動し、連結部３１及び第２部分６２が第２孔４３に沿って筆記具１の前側に移動するようになる。その結果、図９に示されるように、ストッパ部材６０と、クリップ３２と、連結部３１と、押圧部材３０とがともに筆記具１の前側に移動することができる。クリップ３２及び連結部３１が筆記具１の前側に移動できるようになれば、押圧部材３０も筆記具１の前側に移動できるようになるので、押圧部材３０によってリフィール２０が筆記具１の前側に移動して、筆記部２２（図２参照）が前端開口６（図２参照）から突出可能になる。なお、クリップ３２が筆記具１の前側に移動する際、クリップ３２の玉部３２ａ（図３参照）は、ガイド溝４ａ（図３参照）に沿って移動する。
【００２１】
図１０に示されるように、筆記具１のユーザーがストッパ部材６０の押込部分６３を押すと共にストッパ部材６０をクリップ３２及び連結部３１とともに筆記具１の前側に移動させる際、ユーザーは、親指７０の腹（指紋のある部分）のうち指の根元側の部分７１をストッパ部材６０の端側面６６に当接させることでストッパ部材６０を軸筒２の径方向内方に押しながら、指の根元側の部分７１よりも指先側の部分７２をストッパ部材６０の傾斜面６５に当接させることでストッパ部材６０を筆記具１の前側に向かって押すことができる。すなわち、ユーザーは、ストッパ部材６０を押す操作と、ストッパ部材６０を筆記具１の前側に向かって押す操作とを別々に行うのではなく、一緒に、すなわち１つの操作として行うことができる。その結果、筆記部２２（図２参照）の突出を防止している状態から簡単に筆記部２２の突出を行うことができる。
【００２２】
図１１に示されるように、円筒体３４には、その前端にカム歯３４ａが形成され、その外面に複数のガイド突起３４ｂが形成されている。また、図１２に示されるように、回転部材３５は、その外面に前後方向に延びる複数の突条３６を備えている。さらに、図１３に示されるように、後軸４の内周面には、後端部分９よりもやや前側に、カム部８０が形成されている。カム部８０は、前側に向かって突出する鋸歯状の複数のカム歯８０ａと、隣り合うカム歯８０ａ間に形成された前後方向に延びる複数のカム溝８０ｂとを備えている。
【００２３】
図１１〜１３を参照して、後軸４内に円筒体３４及び回転部材３５が配置されている場合、突条３６が、カム部８０のカム歯８０ａ及びカム溝８０ｂと係合する。既に述べたように、筆記部２２（図２参照）を前端開口６（図２参照）から突出させるために押圧部材３０（図３参照）が前側に向かってスライドするが、この際、回転部材３５の突条３６がカム溝８０ｂに沿って前側に向かって移動する。このとき、円筒体３４のカム歯３４ａと回転部材３５の突条３６との当接によって回転部材３５がカム部８０に対して一定角度だけ回転する。それにより、回転部材３５の突条３６がカム部８０のカム歯８０ａに係合して、筆記部２２が前端開口６から突出した状態が維持される。
【００２４】
筆記部２２が前端開口６から突出した状態において、クリップ３２を前側に移動させることにより押圧部材３０を前側に向かってスライドさせると、円筒体３４が回転部材３５を前側に向かって押圧し、円筒体３４のカム歯３４ａと回転部材３５の突条３６との当接によって回転部材３５がカム部８０のカム歯８０ａに対して一定角度だけ回転する。これによって、突条３６とカム部８０のカム歯８０ａとの係合状態が解除され、ばね１４の弾性力により、突条３６がカム部８０のカム溝８０ｂに沿って後側に向かって移動する。回転部材３５が後側に向かって移動することに伴って、リフィール２０（図２参照）が後側に向かって移動し、筆記部２２が軸筒２（図２参照）内に没入する。
【００２５】
このように、ストッパ部材６０を軸筒２の径方向内側に押圧することにより、第１孔４２内に第２部分６２が位置した状態で押圧部材３０を前端２ａ側に向かってスライドさせると、第２部分６２が第２孔４３に沿ってスライドして、リフィール２０が前端２ａ側に移動するようになるので、意図しない筆記部２２の突出を防止している状態から簡単に筆記部２２の突出を行うことができる。
【００２６】
この実施の形態では、ばね５２の弾性力によりストッパ部材６０を軸筒２の径方向外方に向けて常に押圧することにより、ストッパ部材６０を押圧しなければ、意図しない筆記部２２の突出を常に防止している状態となっていたが、この形態に限定するものではない。ばね５２を用いないで、ストッパ部材６０を、意図しない筆記部２２の突出を防止している状態となる位置と、その状態が解除された位置との２つの位置を取れるように、スライド可能に設けてもよい。この変形例でも、筆記部２２の突出を防止している状態から筆記部２２の突出を行う操作は実施の形態と同じであるので、意図しない筆記部２２の突出を防止している状態から簡単に筆記部２２の突出を行うことができる。
【００２７】
この実施の形態では、クリップ３２が連結部３１を介して押圧部材３０と一体的に形成されていたが、この形態限定するものではない。クリップ３２は、押圧部材３０とは別に後軸４に固定し、ストッパ部材６０を前後方向に移動させることにより、押圧部材３０を前後方向にスライドさせるようにしてもよい。
【００２８】
この実施の形態では、リフィール２０はボールペンであったが、シャープペンシル等の他の種類のリフィールであってもよい。
【符号の説明】
【００２９】
１  筆記具、２  軸筒、２ａ  （前軸３の）前端、２ｂ  （後軸４の）後端、６  前端開口、２０  リフィール、２２  筆記部、３０  押圧部材、３２  クリップ（外側部材）、４０  スライド孔、４２  第１孔、４３  第２孔、５２  ばね（弾性部材）、６０  ストッパ部材、６１  第１部分、６２  第２部分。
【図１】
2015036200.tif 000003
【図２】
2015036200.tif 000004
【図３】
2015036200.tif 000005
【図４】
2015036200.tif 000006
【図５】
2015036200.tif 000007
【図６】
2015036200.tif 000008
【図７】
2015036200.tif 000009
【図８】
2015036200.tif 000010
【図９】
2015036200.tif 000011
【図１０】
2015036200.tif 000012
【図１１】
2015036200.tif 000013
【図１２】
2015036200.tif 000014
【図１３】
2015036200.tif 000015